(57)【要約】【課題】糸巻の回転のロックあるいはロック解除を容易に行うことができ、しかもロック位置が制限されない糸巻のロック機構を提供する。【解決手段】ケースに形成した糸巻収納部内に回転可能に収納された糸巻から、糸３がケースの糸繰り出し口を通じて外部へ導出され、ケースのリング蓋１４に形成した開口部から外側へ露出した糸巻の端盤２２に、ハンドル４が糸巻の回転軸心Ｏと略直交する軸４１を介してその軸心の周りに円運動可能に取り付けられ、このハンドル４は、一端を所定位置へ倒した時に、他端の被係止部４２ｃに形成した被係止凹凸４２ｄが、前記開口部に周設した係止凹凸１４４に凹凸係合されるものである。【選択図】  図８
2004230495.tif 000002
【特許請求の範囲】
【請求項１】
ケースに形成した糸巻収納部内に回転可能に収納された糸巻から、糸が前記ケースに形成した糸繰り出し口を通じて外部へ導出されるものにおいて、前記ケースの開口部から外側へ露出した前記糸巻の端盤に、ロック部材が前記糸巻の回転軸心と略直交する軸を介してその軸心の周りに円運動可能に取り付けられ、このロック部材は、一端を所定位置へ倒した時に、他端の被係止部が、前記開口部の円周方向いずれかの位置に係止されることを特徴とする糸巻のロック機構。
【請求項２】
ロック部材が、糸巻を手動回転させるためのハンドルであることを特徴とする請求項１に記載の糸巻のロック機構。
【請求項３】
ロック部材の被係止部に被係止凹凸が形成され、ケースの開口部内周面に、前記被係止凹凸と互いに凹凸係合可能な係止凹凸が周設されたことを特徴とする請求項１に記載の糸巻のロック機構。
【請求項４】
ロック部材の被係止部が、ケースの開口部内周面に摩擦力で係止されることを特徴とする請求項１に記載の糸巻のロック機構。
【請求項５】
ケースが墨壷のケースであることを特徴とする請求項１に記載の糸巻のロック機構。
【発明の詳細な説明】
【０００１】
【発明の属する技術分野】
本発明は、糸を手動で巻き取る糸巻の回転を規制するロック機構に関するものであって、木工あるいは建築における墨打ち作業に使用される墨壷などの線引き具に適用されるものに関する。
【０００２】
【従来の技術】
糸を手動で巻き取る糸巻を備える装置としては、建築作業者等が使用する墨壷があり、その典型的な従来技術が、例えば下記の特許文献１に記載されている。
【０００３】
【特許文献１】
特開２００２−６６９６４（第１図〜第４図）
【０００４】
すなわち、墨壷は、ケース内に回転可能に収納された糸巻に巻かれた墨打ち糸が、墨汁を沁み込ませた墨汁浸透部材が充填された墨室内を通って、ケースの一端に形成された糸繰り出し口から外部へ繰り出され、墨打ち糸の先端に止着用のかるこが繋着された構造を備える。そしてこの墨壷を用いた墨打ち作業においては、まず、かるこを墨打ち起点に止着してから、ケースを移動させることによって墨打ち糸を引き出すと、この墨打ち糸には、墨室内を通る過程で、墨汁浸透部材との接触によって墨汁が付着するので、適当なテンションを与えた状態で張設したこの糸を、墨打ち対象面に向けて手指ではじくことによって、直線状の墨線を転写することができる。
【０００５】
【発明が解決しようとする課題】
しかし、上記特許文献１に記載された従来技術においては、糸巻に巻き取った墨打ち糸及びその先端のかるこが、不用意に引き出されてしまうのを防止するために、墨打ち糸を巻き取った後で、上記文献の第３図に示されるように、かるこをケースの糸繰り出し口に嵌め込んで係止しなければならず、煩雑であった。しかも墨打ち作業において、繰り出した墨打ち糸に適当な張力を与えるには、ハンドルを手指で押さえるなどして糸巻の回転を制止させながらケースを引っ張らなければならず、使い勝手が良くなかった。
【０００６】
また、ハンドルのツマミ部を、ケースの一部に形成した係合凹部に係合させることによって糸巻の回転をロックするようにしたものもあるが、墨打ち糸を糸巻に完全に巻き取った時に、ハンドルのツマミ部がちょうどケースの凹部と一致する位相上にあるとは限らず、むしろ、墨打ち糸が完全に巻き取られていない状態までハンドルの回転を戻してから、ツマミ部をケースの凹部に係合してロックする場合が殆どであり、このため墨打ち糸がケースからある程度引き出されてしまい、墨打ち糸に付着した墨汁がケース表面や他の道具等に付着して汚損するおそれがあった。
【０００７】
本発明は、上記のような問題に鑑みてなされたもので、その技術的課題とするところは、糸巻の回転のロックあるいはロック解除を容易に行うことができ、しかもロック位置が制限されない糸巻のロック機構を提供することにある。
【０００８】
【課題を解決するための手段】
上述した技術的課題を有効に解決するための手段として、請求項１の発明に係る糸巻のロック機構は、ケースに形成した糸巻収納部内に回転可能に収納された糸巻から、糸が前記ケースに形成した糸繰り出し口を通じて外部へ導出されるものにおいて、前記ケースの開口部から外側へ露出した前記糸巻の端盤に、ロック部材が前記糸巻の回転軸心と略直交する軸を介してその軸心の周りに円運動可能に取り付けられ、このロック部材は、一端を所定位置へ倒した時に、他端の被係止部が、前記開口部の円周方向いずれかの位置に係止されるものである。
【０００９】
請求項２の発明に係る糸巻のロック機構は、請求項１に記載されたロック部材が、糸巻を手動回転させるためのハンドルであることを特徴とするものである。
【００１０】
また、請求項３の発明に係る糸巻のロック機構は、請求項１に記載されたロック部材の被係止部に被係止凹凸が形成され、ケースの開口部内周面に、前記被係止凹凸と互いに凹凸係合可能な係止凹凸が周設されたものである。
【００１１】
また、請求項４の発明に係る糸巻のロック機構は、請求項１に記載されたロック部材の被係止部が、ケースの開口部内周面に摩擦力で係止されるものである。
【００１２】
また、請求項５の発明に係る糸巻のロック機構は、請求項１に記載の構成において、ケースが墨壷のケースであることを特徴とするものである。
【００１３】
【発明の実施の形態】
図１は本発明に係る糸巻のロック機構を墨壷に適用した好ましい実施の形態を示す墨壷の平面図、図２は底面図、図３は正面図、図４は一部断面を表す背面図、図５は図１のＶ−Ｖ線に沿って切断した断面図、図６はこの形態におけるハンドル４を単体で示す斜視図、図７はこの形態におけるケース１のリング蓋１４を単体で示す部分的な斜視図、図８はハンドル４の作用を示す説明図である。図１、図２及び図５に示されるように、本形態の墨壷は、ケース１と、このケース１に回転自在に収納された糸巻２と、糸巻２に巻回された墨打ち糸３と、糸巻２に設けられたハンドル４と、ケース１の墨室１１１に収納された墨汁浸透部材５と、墨打ち糸３の先端に繋着されたかるこ６とを備える。
【００１４】
ケース１は、図１及び図２に示されるように、前方が筒状の墨室形成部１１Ａ、後方が皿状の糸巻収納部１１Ｂとなっているケース本体１１と、墨室形成部１１Ａの先端に接合されたトップ部材１２と、墨室形成部１１Ａの上部に設けられた蓋１３と、皿状をなす糸巻収納部１１Ｂの上部開口に着脱自在に設けられたリング蓋１４とからなる。
【００１５】
ケース本体１１は合成樹脂材で成形されたものであって、その墨室形成部１１Ａ内には、図５に示されるように、墨汁浸透部材５が充填される墨室１１１が形成されており、墨室１１１と糸巻収納部１１Ｂとの間の仕切壁１１２に開設された円形孔には、軟質合成樹脂からなる糸挿通管１５と、それよりも糸巻収納部１１Ｂ側（以下、後方という）に位置するゴム材からなるシール板１６と、更にその後方に位置する一対の金属製ガイドピン１７（図５では１本のみ示される）が固定されている。糸挿通管１５は、一端が墨室１１１内へ突出しており、内径が墨打ち糸３よりも僅かに大径となっている。また、シール板１６には、墨打ち糸３が通ることのできる細いスリット（不図示）が形成されており、更に、一対のガイドピン１７は、墨打ち糸３が通ることのできる適当な間隔をもって互いに平行に固定されている。
【００１６】
トップ部材１２は耐摩耗性樹脂材で成形されたものであって、図５に示されるように、ケース本体１１における墨室形成部１１Ａの先端内周にパッキン１２ｄを介して挿入・固定され、内周に糸繰り出し口１２ａが形成されている。糸繰り出し口１２ａは、墨室１１１側の内端が墨打ち糸３とほぼ同径の細い円孔状をなすことによって、墨室１１１内の墨汁の流出を防止しており、その外側の開口縁である糸繰り出し端部１２ｂが、図３に示されるように扁平な漏斗状に広がって形成されている。
【００１７】
蓋１３は、ケース１の墨室形成部１１Ａの上部壁面に開口した墨室１１１の開口部を開閉するものであって、合成樹脂材で成形されている。蓋１３における糸繰り出し端部１２ｂ側の端部には、ケース１の墨室形成部１１Ａ内での墨打ち糸３の繰り出し方向（以下、前後方向という）と略直交する方向（左右両側）へ突出した結合軸１３１が設けられ、ケース１のトップ部材１２に形成された一対の結合孔１２ｃに結合されている。結合孔１２ｃは前後方向へ細長く延びる長孔状に形成されており、結合軸１３１は、結合孔１２ｃ内をその長手方向、すなわち前後方向へ移動可能となっている。したがって蓋１３は、結合孔１２ｃ内の結合軸１３１の軸心の周りに円運動可能であると共に、前後方向へ往復移動可能となっている。
【００１８】
蓋１３における結合軸１３１と反対側の端部、すなわち自由端部には、被係止突起１３２と、蓋１３を手指で開閉操作するための操作端部１３３が形成されている。被係止突起１３２は、蓋１３を閉塞させた時にケース１の後方を向くように形成されている。一方、ケース１の墨室形成部１１Ａの上面における糸巻収納部１１Ｂ側に偏在した位置には係止環１１３が形成されている。この係止環１１３は、墨室１１１の開口部を閉塞した蓋１３を後方へ移動することによって、図５に示されるように、被係止突起１３２を挿入して係止することができ、蓋１３を閉塞状態に固定するものである。
【００１９】
蓋１３の結合軸１３１と被係止突起１３２との間の下面には、ゴム製のパッキン１３４が周設されている。このパッキン１３４は、被係止突起１３２を係止環１１３に係止することによって蓋１３を閉塞状態に固定した時に、墨室１１１の開口部の外周上面に適宜圧縮状態で密接され、墨室１１１内の墨汁の漏れを防止するものである。また、このときのパッキン１３４の圧縮反力は、係止環１１３に対する被係止突起１３２の係止状態を維持する圧接力として作用する。
【００２０】
蓋１３の中央部に開設された円形孔には、ゴム材からなるキャップ状の弾性封口体１３５が密嵌されており、この弾性封口体１３５の内面には合成樹脂材からなる押圧部材１３６が取り付けられている。そして、被係止突起１３２を係止環１１３に挿入係止することによって蓋１３を閉じた状態では、押圧部材１３６は、墨室１１１における墨打ち糸３の繰り出し経路の真上に位置しており、弾性封口体１３５を手指で押して凹ませることによって、押圧部材１３６が下方変位して、墨打ち糸３と墨汁の浸透した墨汁浸透部材５とを強制的に押し付け、墨打ち糸３に墨汁を十分に付着させるものである。手指による押し付けを解除すれば、押圧部材１３６は、弾性封口体１３５の復元力によって復帰動作される。なお、蓋１３における円形孔の周囲は凹部１３ａとなっており、弾性封口体１３５は、この凹部１３ａに収まっている。
【００２１】
なお、図３に示されるように、蓋１３は、墨室１１１の開口部を閉塞した状態では、ケース１（ケース本体１１）における墨室形成部１１Ａの上面に形成された凹部１１４内に嵌め込まれ、すなわちケース本体１１の外側へ突出しないようになっている。またこのとき、蓋１３に設けられた弾性封口体１３５も、ケース本体１１の外周面を延長した仮想円筒面内に位置している。
【００２２】
リング蓋１４は、糸巻２をケース本体１１における糸巻収納部１１Ｂ内に回転自在に保持するものであって、図１、図４及び図５に示されるように、糸巻収納部１１Ｂの上縁にゴム材からなるパッキン１１Ｃを介して衝合される下部開口よりも上部開口１４１ａが小径に形成された円環状の本体１４１と、その後端に形成された掛合部１４２と、図２、図３及び図４に示されるように、墨室形成部１１Ａの左右両側と対応する位置に形成された一対のスナップ爪１４３とを有する。そして、このリング蓋１４は、掛合部１４２を、糸巻収納部１１Ｂの後端に突設された被掛合部１１５と掛合すると共に、一対のスナップ爪１４３を、糸巻収納部１１Ｂの外側面に形成された一対の被掛合凹部１１６に、それぞれスナップ掛合させることによって、糸巻収納部１１Ｂの上部に固定される。
【００２３】
糸巻２は、図５に示されるように、外周に墨打ち糸３を巻回する糸巻本体２１と、この糸巻本体２１の軸方向一端に一体的に設けられてリング蓋１４における本体１４１の上部開口１４１ａの内周から外部へ露出した端盤２２と、ケース本体１１の糸巻収納部１１Ｂにおける底壁１１７の内面（上面）に固定されて糸巻本体２１を回転可能に支持する軸受ユニット２３とからなる。これらの部材は合成樹脂材で成形されており、糸巻２は、リング蓋１４をケース本体１１の糸巻収納部１１Ｂから取り外すことによって、この糸巻収納部１１Ｂ内から取り出すことができる。
【００２４】
ハンドル４は、糸巻２を手指で回転操作するためのものであって、図１及び図５に示されるように、糸巻２の端盤２２の上面に形成された収納凹部２２ａの互いに対向する内側面間に、端盤２２の外周寄りに位置して糸巻２の回転軸心と略直交する方向に架設された軸４１と、端盤２２に前記軸４１を介してその軸心の周りに円運動可能に取り付けられたアーム４２と、このアーム４２における操作端部４２ａの一側面に対して垂直に設けられたピン４３と、このピン４３に回転自在に外挿された円筒状のツマミ部材４４とからなる。
【００２５】
図５及び図８（Ａ）に示されるように、ハンドル４は、端盤２２の収納凹部２２ａ内へアーム４２を収納するように、軸４１を中心として倒した時に、ツマミ部材４４が、端盤２２の内周部から糸巻本体２１の内周部にかけて連続して形成された収納穴２ａ内に収納されるようになっている。また、図８（Ｂ）に示されるように、軸４１を中心として端盤２２の外周側まで回転させて引き起こした場合には、ツマミ部材４４の軸心（ピン４３）が、糸巻２の回転軸心Ｏとほぼ平行となるものである。
【００２６】
アーム４２における操作端部４２ａと反対側には、図６の斜視図によって一層明確に示されるように、軸４１が設けられたボス部４２ｂから一対の被係止部４２ｃが突出形成されており、各被係止部４２ｃには、軸４１と直交する方向に延びる単一又は複数の被係止凹凸４２ｄが形成されている。
【００２７】
一方、ケース１を構成するリング蓋１４の本体１４１には、糸巻２の端盤２２が遊嵌された円形の上部開口１４１ａの内周面全周にわたって、図７の斜視図に最も明確に示されるように、本体１４１の軸心と平行に延びる多数の係止凹凸１４４が形成されている。この係止凹凸１４４は、ハンドル４のアーム４２における被係止凹凸４２ｄと対応するピッチで形成されており、図８（Ａ）に示されるように、ハンドル４を、そのアーム４２が端盤２２の収納凹部２２ａ内へ収納されるように、言い換えればツマミ部材４４が収納穴２ａ内へ収納されるように非使用位置へ倒すことによって、アーム４２の被係止部４２ｃの被係止凹凸４２ｄが外周側を向くように変位し、上部開口１４１ａにおける円周方向いずれかの位置の係止凹凸１４４と凹凸係合されるようになっている。
【００２８】
すなわち、ハンドル４は、糸巻２を手動回転させるためのハンドル本来の機能と、請求項１に記載されたロック部材としての機能、すなわちアーム４２の被係止部４２ｃの被係止凹凸４２ｄが、ケース１のリング蓋１４における係止凹凸１４４と凹凸係合されることによって、糸巻２の回転をロックする機能とを併有するものである。
【００２９】
糸巻２の糸巻本体２１から繰り出される墨打ち糸３は、請求項１に記載された糸に相当するものであって、図５に示されるように、一対のガイドピン１７の間から、シール板１６に形成したスリット（不図示）及び糸挿通管１５を通って、墨室１１１内の墨汁浸透部材５との接触により墨汁を付着され、トップ部材１２の糸繰り出し口１２ａからケース１の外部へ導出される。墨室１１１内の墨汁浸透部材５は、綿あるいはフェルト等を墨汁の浸透可能な保護シートでくるんだ墨綿や、その上に配置されたスポンジ等からなる。また、糸挿通管１５及びシール板１６は、墨室１１１内の墨汁浸透部材５に沁み込ませた墨汁が糸巻収納部１１Ｂ内へ流出するのを防止する作用を有する。
【００３０】
かるこ６は、図１、図２及び図５に示されるように、合成樹脂材で成形された柄６１と、この柄６１にインサート成形によって基部が埋設状態に固定された金属製の刺着針６２と、この刺着針６２の外周を包囲する合成樹脂製の保護材６３とからなる。柄６１は扁平な形状に形成されており、刺着針６２側の端部及び保護材６３は、墨打ち糸３を完全に糸巻本体２１に巻き取った状態において、トップ部材１２の漏斗状の糸繰り出し口１２ａに挿入された状態に掛止されるようになっている。また、刺着針６２はその尖端部のみが保護材６３の先端から突出している。
【００３１】
なお、図２における参照符号７は、糸通し具である。この糸通し具７は、例えば墨打ち糸３が切れた場合に、糸巻本体２１に巻き取られた墨打ち糸３の端部を再びかるこ６に結び付けるために、ガイドピン１７の間、シール板１６のスリット、糸挿通管１５、墨室１１１、及び糸繰り出し口１２ａを通してケース１の外部へ導出させるのに使用されるもので、細長い形状に形成されている。ケース本体１１の糸巻収納部１１Ｂの下面には、その外周近傍を円弧状に延びる係止溝１１８が形成されており、糸通し具７は、係止溝１１８内に、この溝１１８に倣った円弧状に湾曲させた状態で係止されている。
【００３２】
上述の構成を有する墨壷を用いて、墨打ち作業を行う場合は、まず、かるこ６の刺着針６２を墨打ち対象面（不図示）における墨打ちの一方の起点に刺着し、ハンドル４を図８（Ｂ）に示されるように引き起こすことによって、そのアーム４２の被係止部４２ｃの被係止凹凸４２ｄと、ケース１（リング蓋１４）の係止凹凸１４４との凹凸係合による糸巻２のロック状態を解除してから、ケース１を他方の起点へ向けて移動させることによって、糸巻２を回転させながら、その糸巻本体２１に巻かれた墨打ち糸３を、ケース１の移動距離分だけ繰り出す。墨打ち糸３には、墨室１１１内を通って繰り出される過程で、墨汁を染み込ませた墨汁浸透部材５に接触することによって、墨汁が付着する。
【００３３】
ケース１を墨打ちの他方の起点まで移動させたら、ハンドル４を図８（Ａ）に示されるように倒すことによって、そのアーム４２の被係止部４２ｃの被係止凹凸４２ｄと、ケース１（リング蓋１４）の係止凹凸１４４とを凹凸係合させて、糸巻２の回転をロックし、ケース１を適当に引くことによって、かるこ６との間で墨打ち糸３にテンションを与えた状態で、ケース１のトップ部材１２の糸繰り出し端部１２ｂで墨打ち糸３を墨打ち対象面に押止する。そして、墨打ち糸３を墨打ち対象面に向けて指ではじいて打ち付けることによって、直線状の墨線を転写することができる。ここで、先に説明した特許文献１に記載された従来技術によれば、繰り出した墨打ち糸に適当な張力を与えるには、ハンドルを手指で押さえるなどして糸巻の回転を制止させながらケースを引っ張らなければならなかったが、本形態によれば、ハンドル４を倒すだけで、糸巻２の回転を確実に制止することができるため、使い勝手を格段に向上することができる。
【００３４】
墨打ち作業終了後は、かるこ６を墨打ち対象面から引き抜き、ハンドル４を図８（Ｂ）に示されるように引き起こすことによって、糸巻２のロック状態を解除し、ハンドル４のツマミ部材４４を手指で摘んで手動回転させることにより、糸巻２を巻き取り方向へ回転させる。これによって、墨打ち糸３は、かるこ６がトップ部材１２の糸繰り出し口１２ａに半収納状態に係止されるまで、糸巻本体２１に巻き取られる。また、ハンドル４を引き起こした時に、そのツマミ部材４４の軸心を、糸巻２の回転軸心Ｏと平行にすることができるため、ツマミ部材４４のこじり運動による違和感を防止することができる。
【００３５】
かるこ６がトップ部材１２の糸繰り出し口１２ａに半収納状態に係止されるまで、墨打ち糸３が糸巻本体２１に巻き取られたら、ハンドル４を図８（Ａ）に示されるように倒すことによって、そのアーム４２の被係止部４２ｃの被係止凹凸４２ｄと、ケース１（リング蓋１４）の係止凹凸１４４とを凹凸係合させ、糸巻２の回転をロックする。係止凹凸１４４は、リング蓋１４の上部開口１４１ａにおける内周面の全周にわたって形成されているため、かるこ６が糸繰り出し口１２ａに係止されるまで墨打ち糸３を巻き取った時点で、ハンドル４がリング蓋１４に対するどの位相上にあっても、ハンドル４を倒すだけで被係止凹凸４２ｄが、その位相上にある係止凹凸１４４と係合するので、糸巻２をロックすることができる。
【００３６】
したがって、先に説明した特許文献１に記載された従来技術のように、墨打ち糸３を巻き取った後でかるこ６を糸繰り出し口１２ａに嵌め込むといった作業は不要であり、しかもかるこ６が糸繰り出し口１２ａに係止されるまで墨打ち糸３を巻き取った状態で、糸巻２が固定されるので、墨打ち糸３が不用意に引き出されてかるこ６が垂れ下がったりするのを、確実に防止することができる。
【００３７】
図９は、本発明に係る糸巻のロック機構の他の形態を示す作用説明図である。上述の図１〜８に示される形態においては、ハンドル４の被係止部４２ｃに形成した被係止凹凸４２ｄが、ケース１におけるリング蓋１４の上部開口１４１ａに形成した係止凹凸１４４と凹凸係合することによって、糸巻２をロックする構成としたが、図９に示される形態では、ハンドル４の被係止部４２ｃが、前記上部開口１４１ａの内周面に摩擦係合することによって、糸巻２をロックする構成としている。
【００３８】
この場合、ケース１におけるリング蓋１４の上部開口１４１ａの内周面には、例えば環状ゴム１４５を設け、ハンドル４を、図９（Ａ）のように倒した時に、アーム４２の被係止部４２ｃが環状ゴム１４５に圧接状態となるようにすることが、摩擦係止力を高めるうえで有効である。また、被係止部４２ｃには、先の図６に示されるような被係止凹凸４２ｄを形成することもできる。
【００３９】
なお、上述した実施の形態においては、本発明に係る糸巻のロック機構を墨壷に採用した例について説明したが、本発明は、例えば粉末チョークが充填されるケースと、このケースに回転自在に収納されて手動で糸を巻き取る糸巻とを有し、ケースから導出する過程で着色粉末を付着させた糸を張設して、手指ではじくことにより、着色粉末による線引きを行ういわゆる「チョークライン」と呼ばれる線引き具の糸巻のロック機構にも、同様に採用することができる。
【００４０】
また、上述した実施の形態においては、糸巻２を手動回転させるためのハンドル４が、請求項１に記載されたロック部材としての機能を兼備するものであるが、例えば、ハンドル４からツマミ部材４４を除去したものに相当する構造を備えるロック部材を、糸巻２を手動回転させる手段（例えば端盤２２に指掛け凹部を形成したものなど）とは別部材として構成することもできる。
【００４１】
【発明の効果】
請求項１の発明に係る糸巻のロック機構によれば、糸巻の端盤に取り付けられたロック部材を端盤側へ倒すだけで、このロック部材が円周方向いずれの位置にあっても、その被係止部が、前記開口部に係止されて、糸巻の回転をロックすることができる。
【００４２】
請求項２の発明に係る糸巻のロック機構によれば、請求項１に記載されたロック部材の機能を、糸巻を手動回転させるためのハンドルが兼備するため、構成を簡素にすることができる。
【００４３】
請求項３の発明に係る糸巻のロック機構によれば、請求項１に記載されたロック部材の被係止部と、ケースの開口部内周面に形成された係止凹凸が凹凸係合することによって、糸巻の回転を確実にロックすることができる。
【００４４】
請求項４の発明に係る糸巻のロック機構によれば、ロック部材の被係止部が、ケースの開口部内周面に摩擦力で係止されることによって、糸巻の回転を確実にロックすることができる。
【００４５】
請求項５の発明に係る糸巻のロック機構によれば、請求項１に記載の構成を墨壷に適用したため、墨打ち作業において、繰り出した墨打ち糸に適当な張力を与える際に、糸巻を手指で押さえたりしなくてもその回転をロックすることができ、しかも、墨打ち糸を完全に巻き取った状態でロックすることができるので、このため墨打ち糸が不用意に引き出されてしまうようなことがなく、かるこをケースの糸繰り出し口に嵌め込むといった作業も不要となり、使い勝手が著しく向上する。
【図面の簡単な説明】
【図１】本発明に係る糸巻のロック機構を適用した好ましい実施の形態を示す墨壷の平面図である。
【図２】上記墨壷の底面図である。
【図３】上記墨壷の正面図である。
【図４】上記墨壷の一部断面を表す背面図である。
【図５】図１のＶ−Ｖ線に沿って切断した断面図である。
【図６】上記墨壷のハンドル４を単体で示す斜視図である。
【図７】上記墨壷のリング蓋１４を単体で示す部分的な斜視図である。
【図８】上記墨壷のハンドル４の作用説明図である。
【図９】本発明に係る糸巻のロック機構の他の形態を示す作用説明図である。
【符号の説明】
１  ケース
１１Ｂ  糸巻収納部
１２ａ  糸繰り出し口
１４  リング蓋
１４１ａ  上部開口（ケースの開口部）
１４４  係止凹凸
２  糸巻
２ａ  収納穴
２２  端盤
２２ａ  収納凹部
３  墨打ち糸（糸）
４  ハンドル（ロック部材）
４１  軸
４２  アーム
４２ａ  操作端部
４２ｃ  被係止部
４２ｄ  被係止凹凸
４４  ツマミ部材
【図１】
2004230495.tif 000003
【図２】
2004230495.tif 000004
【図３】
2004230495.tif 000005
【図４】
2004230495.tif 000006
【図５】
2004230495.tif 000007
【図６】
2004230495.tif 000008
【図７】
2004230495.tif 000009
【図８】
2004230495.tif 000010
【図９】
2004230495.tif 000011
【手続補正書】
【提出日】平成15年2月26日(2003.2.26)
【手続補正１】
【補正対象書類名】図面
【補正対象項目名】全図
【補正方法】変更
【補正の内容】
【図１】
2004230495.tif 000012
【図２】
2004230495.tif 000013
【図３】
2004230495.tif 000014
【図４】
2004230495.tif 000015
【図５】
2004230495.tif 000016
【図６】
2004230495.tif 000017
【図７】
2004230495.tif 000018
【図８】
2004230495.tif 000019
【図９】
2004230495.tif 000020